(57)【要約】【課題】構造が簡単で興趣に富んだ照明が可能となる照明器具を提供する。【解決手段】側面に開放部２２ａを形成したフレーム２２に、光透過性及び光拡散性を有する発光媒体２４を嵌合固定して、その発光媒体２４の側面をフレーム２２の開放部２２ａから露出させる。フレーム２２内に光源２７を設け、その光源２７からの光が発光媒体２４内を透過して拡散され、発光媒体２４の露出部２４ａから照射されるように構成する。【選択図】図１
2008120210.tif 000002
【特許請求の範囲】
【請求項１】
側面に開放部を形成したフレームに光透過性及び光拡散性を有する発光媒体を嵌合固定するとともに、その発光媒体の一部をフレームの開放部から露出させ、光源からの光を発光媒体の露出部から照射するように構成したことを特徴とする照明器具。
【請求項２】
前記フレーム及び発光媒体は、一体に押し出し形成されたものであることを特徴とする請求項１に記載の照明器具。
【請求項３】
前記光源を前記露出部の発光媒体を介した反対側に配置したことを特徴とする請求項１または２に記載の照明器具。
【請求項４】
前記フレーム及び発光媒体を長尺状に形成したことを特徴とする請求項１〜３のうちのいずれか一項に記載の照明器具。
【請求項５】
露出部の反対側の側面に凹部を形成し、その凹部内に発光ダイオードを配置したことを特徴とする請求項１〜４のうちのいずれか一項に記載の照明器具。
【請求項６】
露出部の反対側に面発光体を設けたことを特徴とする請求項１〜４のうちのいずれか一項に記載の照明器具。
【請求項７】
発光媒体の端面を閉塞する端部カバーを設けたことを特徴とする請求項１〜６のうちのいずれか一項に記載の照明器具。
【発明の詳細な説明】
【技術分野】
【０００１】
この発明は、例えば自動車等の車両において、車室内の天井部等に取り付けられる照明器具に関するものである。
【背景技術】
【０００２】
従来、この種の照明器具としては、例えば特許文献１に開示されるような構成のものが提案されている。すなわち、この従来構成においては、図１５及び図１６に示すように、照明器具５１のハウジング５２が下面に開放部５２ａを有する箱形状に形成され、そのハウジング５２の開放部５２ａには光透過性を有するカバー５３が着脱可能に取り付けられている。ハウジング５２の内頂部にはソケット５４が配設され、そのソケット５４には光源としてのランプ５５が取り付けられている。そして、ランプ５５からの光がカバー５３を透過して下方に照射されるようになっている。
【特許文献１】実開平６−６５０９２号公報
【発明の開示】
【発明が解決しようとする課題】
【０００３】
ところが、この従来構成の照明器具５１においては、光源が単なる点光源であるため、興趣に乏しいものである。そして、この照明器具５１を一方向に延びる長尺状に形成した場合は、その長手方向に沿って多数のランプ５５を配置する必要があるばかりでなく、このように構成したとしても、スポット的な光源が並んでいるだけであるので、やはり興趣に乏しく、ランプも多数個必要になって構成が複雑になる。
【０００４】
この発明は、このような従来の技術に存在する問題点に着目してなされたものである。その目的は、興趣に富んだ照明が可能になるとともに、構成が簡単な照明器具を提供することにある。
【課題を解決するための手段】
【０００５】
上記の目的を達成するために、請求項１に記載の発明は、側面に開放部を形成したフレームに光透過性及び光拡散性を有する発光媒体を嵌合固定するとともに、その発光媒体の一部をフレームの開放部から露出させ、光源からの光を発光媒体の露出部から照射するように構成したことを特徴とする。
【０００６】
請求項２に記載の発明は、請求項１に記載の発明において、前記フレーム及び発光媒体は、一体に押し出し形成されたものであることを特徴とする。
請求項３に記載の発明は、請求項１または２に記載の発明において、前記光源を前記露出部の発光媒体を介した反対側に配置したことを特徴とする。
【０００７】
請求項４に記載の発明は、請求項１〜３のうちのいずれか一項に記載の発明において、前記フレーム及び発光媒体を長尺状に形成したことを特徴とする。
請求項５に記載の発明は、請求項１〜４のうちのいずれか一項に記載の発明において、露出面の反対側の側面に凹部を形成し、その凹部内に発光ダイオードを配置したことを特徴とする。
【０００８】
請求項６に記載の発明は、請求項１〜４のうちのいずれか一項に記載の発明において、露出面の反対側に面発光体を設けたことを特徴とする。
請求項７に記載の発明は、請求項１〜６のうちのいずれか一項に記載の発明において、発光媒体の端面を閉塞する端部カバーを設けたことを特徴とする。
【０００９】
従って、この発明によれば、光源からの光が発光媒体を通して、その発光媒体の露出された側面全体から照射される。このため、光源の数を少なくできるとともに、興趣に富んだ照明を実現できる。従って。ハウジングの開放部にカバーを着脱可能に取り付けるとともに、ハウジングとカバーとの間の内部空間に光源を配置した従来の照明器具と比較して、構造を簡単にすることができる。
【発明の効果】
【００１０】
以上のように、この発明によれば、構造が簡単で、興趣に富んだ照明を実現でき、照明器具として優れた発明である。
【発明を実施するための最良の形態】
【００１１】
（第１実施形態）
以下に、この発明の第１実施形態を、図１〜図５に基づいて説明する。
図１〜図３に示すように、この実施形態の照明器具２１においては、全体として長尺状をなし、フレーム２２が非透明な合成樹脂の押出成形により細長いチャネル状に形成されている。フレーム２２の一側面（図面において下面側）には開放部２２ａが形成され、その開放部２２ａの両側外縁にはフランジ部２２ｂが突出形成されている。フレーム２２の頂壁外面には一対の断面ほぼＬ字状の係止突条２３が所定間隔をおいて長手方向へ平行に形成され、これらの係止突条２３により一対の対向する係止溝２３ａが形成されている。
【００１２】
前記フレーム２２内には、透明な発光媒体２４が一体に嵌合形成されている。そして、この発光媒体２４の一部である一側面（図面において下面側）が露出部２４ａとして、フレーム２２の開放部２２ａから外部に露出されている。前記フレーム２２及び発光媒体２４は同材質によって構成され、それが図６に示す状態で同時に押し出し成形されて一体化され、その後、所要の長さに切断されて用いられる。フレーム２２及び発光媒体２４は、塩化ビニール，ポリカーボネイト，アクリル等の合成樹脂によって構成される。
【００１３】
発光媒体２４は透明な合成樹脂材料にアルミニウム等の金属粉材や，光沢を有する合成樹脂粉や、着色粉体等を混合させることにより、光散乱性を具有し、光透過性に加えて光拡散性を保有するように形成されている。
【００１４】
前記フレーム２２及び発光媒体２４の露出部２４ａと反対側の頂部には、複数（図面では１個のみを示す）の光源用収容凹部２５がフレーム２２の長手方向に沿って所定間隔おきで形成されている。この光源用収容凹部２５は、フレーム２２及び発光媒体２４が部分的に抉られて形成されたものである。各光源用収容凹部２５と対応して、フレーム２２上の係止突条２３の係止溝２３ａ間にはほぼ長方形状のブラケット２６が係止保持されている。ブラケット２６には発光ダイオード（ＬＥＤ）よりなる光源２７が取り付けられ、その光源２７が光源用収容凹部２５内に収容配置されている。すなわち、図１に鎖線で示すように、光源２７を光源用収容凹部２５内に挿入するとともに、ブラケット２６をフレーム２２の長手方向に沿って延びるように配置し、その後、同図に実線で示すように、ブラケット２６を水平面内において回動させることにより、ブラケット２６の両端部が係止溝２３ａに係止されて、光源２７が光源用収容凹部２５内に収容されている。
【００１５】
図１及び図３に示すように、前記フレーム２２上の係止突条２３の係止溝２３ａ間には、複数（図面では１個のみを示す）の止め具２８がフレーム２２の長手方向に所定間隔をおいて係止保持されている。止め具２８は、ほぼ長方形状の基板部２８ａと、その基板部２８ａの上面中央に突設されたボス部２８ｂと、そのボス部２８ｂの中心に形成されたネジ孔２８ｃと、ボス部２８ｂの外周両側に突設された一対のロック部２８ｄとから構成されている。そして、図１に鎖線で示すように、止め具２８の基板部２８ａをフレーム２２の長手方向に沿って延びるように配置した状態で、止め具２８を係止突条２３間に配置した後、同図に実線で示すように、止め具２８を水平面内で回動させることにより、基板部２８ａの両端部が係止溝２３ａに係止される。それとともに、両ロック部２８ｄの外端縁が両係止突条２３の内端縁に圧接係合されて、止め具２８が係止突条２３の係止溝２３ａ間に係止保持されている。
【００１６】
図１及び図７（車両天井パネルの下面図）に示すように、車両の天井パネル２９は合成樹脂により形成されている。天井パネル２９の左右両側部には照明器具２１を取り付けるための下方に向かって開口する細長い取付用凹部３０が形成され、図４に示すように、その取付用凹部３０の長手方向の両端部には深さが徐々に減少する傾斜部３０ａが設けられている。なお、図７において、Ｐ１〜Ｐ３は、それぞれ車両のフロントピラー，センターピラー，リヤピラーを示す。
【００１７】
天井パネル２９の取付用凹部３０の頂壁には複数（図面では１個のみを示す）のボルト挿通孔３１が形成されている。そして、図１及び図３に示すように、照明器具２１を天井パネル２９の取付用凹部３０内に配置した状態で、ボルト挿通孔３１から照明器具２１上の止め具２８のネジ孔２８ｃにボルト３２が螺合されることにより、照明器具２１が天井パネル２９に取り付けられている。また、この天井パネル２９に対する照明器具２１の取付状態においては、図２及び図３に示すように、照明器具２１側のフレーム２２の両フランジ部２２ｂが天井パネル２９側の取付用凹部３０の開口両側縁に目隠し状に接合配置されるようになっている。なお、図示はしないが、取付用凹部３０の頂壁には照明器具２１の重量による変形を防止するための補強手段が設けられている。
【００１８】
図４及び図５に示すように、照明器具２１が天井パネル２９の取付用凹部３０内に固定配置された状態で、取付用凹部３０の両端の傾斜部３０ａには合成樹脂製の端部カバー３３が図示しないピン等の固定手段を用いて被覆装着されている。そして、この端部カバー３３により照明器具２１のフレーム２２及び発光媒体２４の両端部が被覆されて、天井パネル２９の取付用凹部３０内から外部に露出しないようになっている。また、この端部カバー３３により発光媒体２４の端面からの光が車室側に漏れないようになっている。
【００１９】
次に、前記のように構成された照明器具２１の作用を説明する。
さて、この照明器具２１において、光源２７が点灯されると、その光源２７からの光が発光媒体２４内を透過して、発光媒体２４の露出部２４ａから下方に照射される。この場合、光が発光媒体２４内を透過する際に、その透過光が発光媒体２４に混入された光散乱手段により四囲に拡散されるため、発光媒体２４の露出部２４ａ全体が細長い発光面となって発光される。
【００２０】
従って、この実施形態の照明器具２１は以下に示す効果がある。
（１）  この実施形態の照明器具２１においては、従来構成の照明器具の構成とは異なり、光源からの光が発光媒体２４の側面全体から照射されるため、興趣に富んだ照明効果を得ることができる。
【００２１】
（２）  充実体よりなる発光媒体２４が照明器具の外観を構成するために、照明器具として意匠性の優れたものとなる。
（３）  発光媒体２４の側面全体から光が照射されるため、光源（実施形態では発光ダイオード）の数を少なくでき、構成が簡単になる。
【００２２】
（４）  発光媒体２４に混入する金属粉材や着色透明粉材を適宜に選択することにより、照度や発光媒体２４の色を調整できるため、さらに興趣を向上できる。
（５）フレーム２２及び発光媒体２４を押出成形にて一体に形成しているため、器具全体を長尺状に形成しようとする場合、押出成形品を所定の長さに切断することにより容易に対応することができる。
【００２３】
（６）  発光媒体２４を着色したり、光散乱手段として着色されたものを用いたり、あるいは光散乱手段として蛍光塗料が塗布されたものを用いたりすることにより、各種の変化に富んだ照明光を得ることができる。
【００２４】
（第２実施形態）
次に、この発明の第２実施形態を説明する。なお、この第２実施形態以降の各実施形態の説明においては、第１実施形態と異なる構成及び作用を中心に述べる。
【００２５】
さて、この第２実施形態においては、図８に示すように、発光媒体２４の頂面付近にステンレス鋼やアルミニウム等の金属板あるいは金属箔よりなる反射板３５が配置されている。この反射板３５は、フレーム２２及び発光媒体２４を押出成形にて一体に形成する際に、同時に押し出される。そして、光源２７からの光が反射板３５により、発光媒体２４の露出部２４ａ側に向かって反射されるようになっている。この反射板３５は、発光媒体２４の押出成形時にその押出しと同時に引き出されて発光媒体２４内に埋設される。
【００２６】
従って、この第２実施形態の照明器具２１では、以下の効果がある。
（７）  光源２７からの光が反射板３５により反射されるため、照明効果を高めることができる。
【００２７】
（第３実施形態）
次に、この発明の第３実施形態を説明する。
この第３実施形態においては、図９に示すように、発光媒体２４の内部中央付近に細幅リボン状の複数の遮光板３６が埋設されている。この遮光板３６は、発光媒体２４を押出成形にて一体に形成する際に、同時に押し出されて埋設される。この遮光板３６は、ステンレス鋼やアルミニウム等の金属板や金属箔、あるいは着色半透明樹脂フィルム等よりなる。そして、光源２７からの光が発光媒体２４を透過する際に、その透過光の一部が遮光板３６により遮蔽されたり、着色部を透過されたりするようになっている。
【００２８】
従って、この第３実施形態の照明器具２１では、以下の効果がある。
（８）  発光媒体２４の幅方向の中央部付近において、遮光板３６により光源２７からの光の一部が遮蔽されたり、着色部を透過されたりするため、趣の異なった照明効果を発揮させることができる。
【００２９】
（第４実施形態）
次に、この発明の第４実施形態を説明する。
この第４実施形態においては、図１０に示すように、発光媒体２４の頂面に光源及び面発光体としてのエレクトロルミネッセンス４５が配置されている。このエレクトロルミネッセンス４５は、発光媒体２４を押出成形する際に、同時に押し出される。
【００３０】
従って、この第４実施形態の照明器具２１では、以下の効果がある。
（９）  光源が面発光になるため、照明効果を高めることができる。
（１０）  光源を配置するための凹部２５が不要容易になり、製作が容易になる。
【００３１】
（１１）  光源がシート状をなすため、嵩張らず、照明器具２１全体の小型化が可能となる。
（第５実施形態）
次に、この発明の第５実施形態について説明する。
【００３２】
この第５実施形態においては、図１１に示すように、フレーム２２の開放部２２ａにおけるフランジ部２２ｂが省略されている。また、発光媒体２４の露出部２４ａの幅方向両側には食み出し部３７が突出形成され、それらの食み出し部３７によりフレーム２２の開放部２２ａの端縁が目隠し状に覆われている。
【００３３】
従って、この第４実施形態の照明器具２１では、以下の効果がある。
（１２）  発光媒体２４の露出部２４ａの面積が食み出し部３７にて拡張されるため、照明効果を高めることができる。
【００３４】
（第６実施形態）
次に、この発明の第６実施形態について説明する。
この第５実施形態においては、図１２に示すように、フランジ部２２ｂを内方へ延長することにより、フレーム２２の開放部２２ａの開口幅が狭められている。そして、発光媒体２４の露出部２４ａがこの幅狭の開放部２２ａから突出されている。
【００３５】
（第７実施形態）
次に、この発明の第７実施形態を説明する。
この第７実施形態においては、図１３に示すように、天井パネル２９の取付用凹部３０の両端付近に端部被覆部３８が形成され、その端部被覆部３８には取付用凹部３０に連通する端部挿通孔３９が形成されている。照明器具２１のフレーム２２の両端には、フランジ部２２ｂを部分的に切欠した切欠部４０が形成されている。そして、照明器具２１を天井パネル２９の取付用凹部３０内に組み付ける際に、フレーム２２の両端の切欠部４０の部分及び発光媒体２４の両端を取付用凹部３０の両端の端部挿通孔３９に挿通して、フレーム２２及び発光媒体２４の両端部を端部被覆部３８にて被覆するようになっている。
【００３６】
従って、この第７実施形態においては、以下の効果がある。
（１３）  端部カバー３３が不要になるため、部品点数を削減することができる。
（第８実施形態）
次に、この発明の第８実施形態を中心に説明する。
【００３７】
この第８実施形態においては、図１４に示すように、照明器具２１のフレーム２２及び発光媒体２４の両端部に、天井パネル２９の取付用凹部３０の両端傾斜部３０ａに合致可能な傾斜状の切除処理部４１が形成されている。この切除処理部４１は、フレーム２２及び発光媒体２４の押出成形後に、そのフレーム２２及び発光媒体２４の両端部を斜めに切除するとともに、金型等にて加熱加圧して整形処理することにより形成されている。そして、照明器具２１を天井パネル２９の取付用凹部３０内に組み付けたとき、両端の切除処理部４１が取付用凹部３０の両端傾斜部３０ａ上に配置されるようになっている。
【００３８】
従って、この第８実施形態においては、以下の効果がある。
（１４）  前記第８実施形態と同様に端部カバー３３が不要になるため、部品点数を削減することができる。
【００３９】
（変更例）
なお、この実施形態は、次のように変更して具体化することも可能である。
・  フレーム２２と発光媒体２４とを別々に形成し、フレーム２２内に発光媒体２４を嵌合して接着剤等により接着固定するように構成すること。
【００４０】
・  光源２７用のブラケット２６及び止め具２８を、接着剤等の他の固定手段によりフレーム２２に固定するように構成すること。
・  フレーム２２の内面を鏡面仕上げ、あるいは光沢仕上げにして、その内面を反射面とすること。
【００４１】
・  光源を発光媒体２４の両端面に配置すること。
・  光源として発光ダイオードやエレクトロルミネッセンス以外のもの、例えばインビトロジェンプラズマ発光体を設けること。
【００４２】
・  前記実施形態において、照明器具２１の全体形状を、例えば湾曲状や環状等の他の形状に変更すること。
【図面の簡単な説明】
【００４３】
【図１】第１実施形態の照明器具を示す要部分解斜視図。
【図２】図１の２−２線における組立て状態の拡大断面図。
【図３】図１の３−３線における組立て状態の拡大断面図。
【図４】図１の照明器具の端部の処理構成を示す要部分解斜視図。
【図５】図４の端部の処理構成の組立て状態を示す要部斜視図。
【図６】押し出し成形された状態のフレーム及び発光媒体を示す斜視図。
【図７】車両の天井部を示す下面図。
【図８】第２実施形態の照明器具を示す要部断面図。
【図９】第３実施形態の照明器具を示す要部断面図。
【図１０】第４実施形態の照明器具を示す要部断面図。
【図１１】第５実施形態の照明器具を示す要部断面図。
【図１２】第６実施形態の照明器具を示す要部断面図。
【図１３】第７実施形態の照明器具の端部の処理構成を示す要部分解斜視図。
【図１４】第８実施形態の照明器具の端部の処理構成を示す要部分解斜視図。
【図１５】従来の照明器具を示す要部断面図。
【図１６】従来の照明器具を細長く構成した場合の分解斜視図。
【符号の説明】
【００４４】
２１…照明器具、２２…フレーム、２２ａ…開放部、２３…係止突条、２３ａ…係止溝、２４…発光媒体、２４ａ…露出部、２５…光源用収容凹部、２６…ブラケット、２７…光源、２８…止め具、２９…天井パネル、３０…取付用凹部、３２…ボルト、３３…端部カバー。
【図１】
2008120210.tif 000003
【図２】
2008120210.tif 000004
【図３】
2008120210.tif 000005
【図４】
2008120210.tif 000006
【図５】
2008120210.tif 000007
【図６】
2008120210.tif 000008
【図７】
2008120210.tif 000009
【図８】
2008120210.tif 000010
【図９】
2008120210.tif 000011
【図１０】
2008120210.tif 000012
【図１１】
2008120210.tif 000013
【図１２】
2008120210.tif 000014
【図１３】
2008120210.tif 000015
【図１４】
2008120210.tif 000016
【図１５】
2008120210.tif 000017
【図１６】
2008120210.tif 000018